(57)【要約】      （修正有）【課題】パチンコ玉を大箱からパチンコ受け皿に移動する際、パチンコ玉を出来る限り効率よく安定的にすくいとることができ、且つ大箱から最後の一玉にいたるまですくいとることのできるパチンコ玉すくいカップを提供する。【解決手段】容器１の底面が水平面であると共に、容器１の外周壁３の少なくとも一側直状外周壁面を有するパチンコ玉をすくいとる容器であって、容器１の上方開口部１０において前記一側直状外周壁面の上端部より内側方向に所定の角度で曲折せしめた玉すくい傾斜板６を一体的に形成し、玉すくい傾斜板６の両端部は容器１の外周壁３と一体的に形成された補強板９としたパチンコ玉すくい容器とした。【選択図】図１
0003150811.tif 000002
【実用新案登録請求の範囲】
【請求項１】
容器の底面が水平面であると共に、前記容器の外周壁の少なくとも一側直状外周壁面を有するパチンコ玉をすくいとる容器であって、前記容器の上方開口部において前記一側直状外周壁面の上端部より内側方向に所定の角度で曲折せしめた玉すくい傾斜板を一体的に形成し、該玉すくい傾斜板の両端部は容器の外周壁と一体的に形成された補強板としたことを特徴とするパチンコ玉すくい容器。
【請求項２】
容器は方形又は非方形筒状である請求項１記載のパチンコ玉すくい容器。
【請求項３】
玉すくい傾斜板の前端部は波形、ギザ状とした請求項１又は請求項２記載のパチンコ玉すくい容器。
【考案の詳細な説明】
【技術分野】
【０００１】この考案は、パチンコ玉を大箱からパチンコ受け皿に移動する際、パチンコ玉を出来る限り効率よく安定的にすくいとることができ、且つ大箱から最後の一玉にいたるまですくいとることのできるパチンコ玉すくいカップに関する。
【技術の背景】
【０００２】この考案は、パチンコ玉を大箱からパチンコ受け皿に移す際に使用するパチンコ玉すくいカップに関する。
【先行技術文献】
【０００３】
【特許文献】
【特許文献】実開平６−５８９８５
【考案の解決しようとする課題】
【０００４】従来提供されている玉すくいカップは各種のものが提供されているが、すくい部が曲状になっているものでは玉を拾う範囲が限られることから玉をすくい取る効率がよくないこと、又すくい部が平坦直状平面部になっているものでも、すくい上げる瞬間に最先端部にある玉がこぼれる傾向は避けようがなかった。
【課題を解決するための手段】
【０００５】この考案は、容器の底面が水平面であると共に、前記容器の外周壁の少なくとも一側直状外周壁面を有するパチンコ玉をすくいとる容器であって、前記容器の上方開口部において前記一側直状外周壁面の上端部より内側方向に所定の角度で曲折せしめた玉すくい傾斜板を一体的に形成し、該玉すくい傾斜板の両端部は容器の外周壁と一体的に形成された補強板としてある。
【０００６】また、容器は方形又は非方形筒状であっても、容器の外周壁の少なくとも一側直状外周壁面であれば、この考案は実施可能である。
更に、玉すくい傾斜板の前端部は波形、ギザ状としすることもできる。
【考案の効果】
【０００７】本件考案において、玉すくい傾斜板が容器の口径の全長にわたって設けてあるので玉のすくいとりが容易である共に、大箱の内底面に残り玉がすくなくなった時にも労せずに最後の一玉まですくい切れる優れた効果がある。
【考案を実施化するための形態】
【０００８】この考案は、容器の底面が水平面であると共に、前記容器の外周壁の少なくとも一側直状外周壁面を有するパチンコ玉をすくいとる容器であって、前記容器の上方開口部において前記一側直状外周壁面の上端部より内側方向に所定の角度で曲折せしめた玉すくい傾斜板を一体的に形成し、該玉すくい傾斜板の両端部は容器の外周壁と一体的に形成された補強板としてある。
【実施例】
【０００９】容器１は、ポリプロピレン樹脂、ボリカーボネート樹脂、塩化ビニル樹脂、ポリエチレン樹脂、その他の樹脂のいずれの材質でも作ることができるが、強度、弾力性、耐変形性の点で、本件考案のパチンコ玉をすくいとる容器の材質としては、ポリプロピレン樹脂が最適である。【００１０】容器１の底面２が水平面であると共に、前記容器の外周壁３の少なくとも底面１に対して垂直に一側直状外周壁面４を有するパチンコ玉をすくいとる容器としたものである。容器１の厚みは１・３ミリメートルとるするのが、その重さ、強度維持のためには理想的である。【００１１】更に、前記容器の上方開口部において前記一側直状外周壁面４の上端部５より内側方向に所定の角度で曲折せしめた玉すくい傾斜板６を一体的に形成してある。玉すくい傾斜板５の先端部７は、図７に示すように、パチンコ玉すくいに便利なようにギザ状、波状８とすれば更に効率よくパチンコ玉を一層効率よくすくい取れるかもしれない。【００１２】玉すくい傾斜板６の両端部は容器の外周壁と一体的に形成された両側補強板９、９としてある。【００１３】更に、傾斜板６の先端部７はより肉薄部とすればパチンコすくいとり時には一層効率よくパチンコ玉をすくいとることができる。この考案の開口部は、玉すくい傾斜板５の先端部７と、容器の外周壁と一体的に形成された補強板９、９と、容器の外周壁３とからなる開口部１０の領域は、この容器の内底部の面積に較べやや小となるのが普通である。このようにすることで開口部１０から、一回のすくい操作でかなりの量のパチンコ玉１１をすくうことができる。【００１４】この考案について、ある程度詳細に説明したが、この考案の精神と範囲に反することなしに、広範に異なる実施態様を構成することは明白である。例えば、容器の下部水平断面の形状筒体の形状は図６（イ）〜（ホ）に示すように、基本的に方形状、半円形状、三角形状又は台形状、その他各種の形状にすることができる。
更に、特に図示しないが、容器１の内部及び外部の各コーナーの曲状とすることによって利用者が容器を把持及び玉の収容が改善されることがある。【００１５】図４又は図５に示すようにパチンコ玉をすくう際には、大箱１２の内底面１３と平行に玉すくい傾斜板５の下面を接地した状態でパチンコ玉をすくい取る操作をすると、このパチンコ玉すくいカップの筒本体は前方部の傾斜板６の下面１４では大箱１２の内底面１３にほぼ密着するが、後方部が浮き上がった状態となる。このい状態で、容器１を図５矢印方向にパチンコ玉方向に前進させることによってパチンコ玉を一回のすくい取り作業でかなりの数のパチンコ玉をすくい取ることができる。一旦すくい取ったパチンコ玉は、直状外周壁面を大箱１２の内底面１３に密着させれば、傾斜板６は大箱１２の内底面１３より浮き上がり傾斜板６の上面にあったパチンコ玉も容器内に入り込み容器１の内部に収容され外に出ることはない。
【産業上の利用可能性】
【００１６】容器の底面が水平面であると共に、前記容器の外周壁の少なくとも一側直状外周壁面を有するパチンコ玉をすくいとる容器であって、前記容器の上方開口部において前記一側直状外周壁面の上端部より内側方向に所定の角度で曲折せしめた玉すくい傾斜板を一体的に形成し、該玉すくい傾斜板の両端部は容器の外周壁と一体的に形成された補強板とすることによって、パチンコ玉を大箱からパチンコ受け皿に移動が円滑に達成されることによってパチンコ店側では、お店に設置されたパチンコ台を効率的な活用を図ることができ、またお客さま側でもめりはりの効いた娯楽を楽しむことができることで、娯楽施設本来のありかたにより適合することになる。
【図面の簡単な説明】
【００１７】
【図１】この考案のパチンコ玉すくいカップの斜視図
【図２】この考案のパチンコ玉すくいカップの縦断面図
【図３】この考案のパチンコ玉すくいカップの正面図
【図４】この考案のパチンコ玉すくい使用状態断面図
【図５】この考案のパチンコ玉すくい使用状態斜視図
【図６】（イ）〜（ホ）は、この考案が適用可能のの容器筒形状を示す上面図
【図７】（イ）、（ロ）は傾斜板の先端形状を示す部分図
【符号の説明】１．．．．容器
２．．．．底面
３．．．．外周面
４．．．．直状外周壁面
５．．．．上端部
６．．．．傾斜板
７．．．．傾斜板の先端部
８．．．．ギザ状又は波状部
９．．．．両側補強板
１０．．．開口部
１１．．．パチンコ玉
１２．．．大箱
１３．．．内底面
１４．．．下面
【図１】
0003150811.tif 000003
【図２】
0003150811.tif 000004
【図３】
0003150811.tif 000005
【図４】
0003150811.tif 000006
【図５】
0003150811.tif 000007
【図６】
0003150811.tif 000008
【図７】
0003150811.tif 000009